(57)【要約】【課題】省電力及び高セキュリティを実現する無線ＬＡＮアクセスポイント装置を提供することを目的とする。【解決手段】本発明の一形態に係る無線アクセスポイント装置は、人の存在を検知するセンサと、前記センサに反応がない場合、スリープ状態に設定し、前記センサに反応がある場合、スリープ状態を解除する電力制御部とを有する。本発明の一形態に係る電力制御方法は、人の存在を検知するセンサを有する無線アクセスポイント装置における電力制御方法であって、前記センサに反応がない場合、スリープ状態に設定するステップと、前記センサに反応がある場合、スリープ状態を解除するステップとを有する。【選択図】図１
2014176031.tif 000002
【特許請求の範囲】
【請求項１】
人の存在を検知するセンサと、
前記センサに反応がない場合、スリープ状態に設定し、前記センサに反応がある場合、スリープ状態を解除する電力制御部と、
を有する無線アクセスポイント装置。
【請求項２】
当該無線アクセスポイント装置に接続する無線クライアント装置からの信号強度を測定する受信信号強度測定部と、
前記センサに反応がない状態から前記センサに反応がある状態になった場合、第１の無線クライアント装置に対して前記受信信号強度測定部で測定された信号強度が所定の閾値になるまで、送信出力を増加させる送信出力制御部と、
を更に有する、請求項１に記載の無線アクセスポイント装置。
【請求項３】
前記送信出力制御部は、第２の無線クライアント装置が存在することを認識して所定の時間後に、送信出力を初期化し、
前記送信出力制御部は、前記第１の無線クライアント装置及び前記第２の無線クライアント装置に対して前記受信信号強度測定部で測定された信号強度が所定の閾値になるまで、送信出力を増加させる、請求項２に記載の無線アクセスポイント装置。
【請求項４】
初期送信出力値を記憶する初期送信出力値記憶部を更に有し、
前記送信出力制御部は、前記初期送信出力値記憶部に記憶された初期送信出力値から送信出力を増加させ、
前記受信信号強度測定部は、前記第１の無線クライアント装置に対して前記受信信号強度測定部で測定された信号強度が所定の閾値になった場合の送信出力を初期送信出力値として前記初期送信出力値記憶部に記憶する、請求項２又は３に記載の無線アクセスポイント装置。
【請求項５】
人の存在を検知するセンサを有する無線アクセスポイント装置における電力制御方法であって、
前記センサに反応がない場合、スリープ状態に設定するステップと、
前記センサに反応がある場合、スリープ状態を解除するステップと、
を有する電力制御方法。
【発明の詳細な説明】
【技術分野】
【０００１】
本発明は、無線アクセスポイント装置及び電力制御方法に関する。
【背景技術】
【０００２】
無線ＬＡＮ（Ｌｏｃａｌ  Ａｒｅａ  Ｎｅｔｗｏｒｋ）アクセスポイント装置として、非常に多種多様な製品が販売されている。これらの製品は、電波法の範囲内において出来る限り大きい送信出力を設定したり、複数アンテナを装備したり、指向性アンテナや無線LANアクセスポイントから離れた場所に設置できる外部アンテナを装備すること等により、出来る限り遠くの無線ＬＡＮクライアント装置との通信を行う方向に発展してきている。
【０００３】
例えば、無線ＬＡＮ用ブースタ送受信機の増幅器により、広範囲の無線ＬＡＮクライアント装置と接続しようとする試みが行われている（特許文献１参照）。また、多方向に向けられた複数の指向性アンテナを状況により偏波面を直交するように切り替えることで、自身の複数アンテナ間の干渉を軽減し、より遠くの無線ＬＡＮクライアント装置との通信を行う試みも行われている（特許文献２参照）。
【先行技術文献】
【特許文献】
【０００４】
【特許文献１】特開２０００−１３２７７号公報
【特許文献２】特開２００２−２６１７７５号公報
【発明の概要】
【発明が解決しようとする課題】
【０００５】
しかし、ワンルームマンションや会議室等において、無線ＬＡＮアクセスポイント装置と無線ＬＡＮクライアント装置とを同一の部屋において使用する場合、必ずしも遠くの無線ＬＡＮクライアント装置との通信を行う機能は必要とされない。一方、より遠くの無線ＬＡＮクライアント装置との通信を試みた結果、無駄な電力消費が生じるという課題、部屋外に漏れ出る電波強度が大きいため部屋外から通信内容を傍受されるリスクが大きくなるという課題、部屋外から無線LANアクセスポイントを乗っ取られて不正使用されるリスクが大きくなるという課題が存在する。
【０００６】
このような課題に鑑み、本発明は、省電力及び高セキュリティを実現する無線ＬＡＮアクセスポイント装置を提供することを目的とする。
【課題を解決するための手段】
【０００７】
本発明の一形態に係る無線アクセスポイント装置は、
人の存在を検知するセンサと、
前記センサに反応がない場合、スリープ状態に設定し、前記センサに反応がある場合、スリープ状態を解除する電力制御部と、
を有する。
【０００８】
また、本発明の一形態に係る電力制御方法は、
人の存在を検知するセンサを有する無線アクセスポイント装置における電力制御方法であって、
前記センサに反応がない場合、スリープ状態に設定するステップと、
前記センサに反応がある場合、スリープ状態を解除するステップと、
を有する。
【発明の効果】
【０００９】
本発明によれば、省電力及び高セキュリティを実現する無線ＬＡＮアクセスポイント装置を提供することが可能になる。
【図面の簡単な説明】
【００１０】
【図１】本発明の第１実施例に係る無線ＬＡＮアクセスポイント装置の構成図
【図２】本発明の第１実施例に係る無線ＬＡＮアクセスポイント装置における処理フロー（人感センサ検出状態→非検出状態時）
【図３】本発明の第１実施例に係る無線ＬＡＮアクセスポイント装置における処理フロー（人感センサ非検出状態→検出状態時）
【図４】本発明の第２実施例に係る無線ＬＡＮアクセスポイント装置の構成図
【図５】本発明の第２実施例に係る無線ＬＡＮアクセスポイント装置における処理フロー（人感センサ非検出状態→検出状態時）
【図６】本発明の第２実施例に係る無線ＬＡＮアクセスポイント装置の構成図（無線ＬＡＮクライアント装置追加時）
【図７】本発明の第２実施例に係る無線ＬＡＮアクセスポイント装置における処理フロー（無線ＬＡＮクライアント装置追加時）
【図８】本発明の第３実施例に係る無線ＬＡＮアクセスポイント装置の構成図
【図９Ａ】本発明の第３実施例に係る無線ＬＡＮアクセスポイント装置における処理フロー（人感センサ非検出状態→検出状態時）
【図９Ｂ】本発明の第３実施例に係る無線ＬＡＮアクセスポイント装置における処理フロー（人感センサ非検出状態→検出状態時）
【図１０】本発明の第３実施例に係る無線ＬＡＮアクセスポイント装置の構成図（無線ＬＡＮクライアント装置追加時）
【図１１Ａ】本発明の第３実施例に係る無線ＬＡＮアクセスポイント装置における処理フロー（無線ＬＡＮクライアント装置追加時）
【図１１Ｂ】本発明の第３実施例に係る無線ＬＡＮアクセスポイント装置における処理フロー（無線ＬＡＮクライアント装置追加時）
【発明を実施するための形態】
【００１１】
以下、本発明の実施例について、図面を参照して説明する。
【００１２】
本発明の実施例では、省電力及び高セキュリティを実現する無線ＬＡＮアクセスポイント装置について説明する。
【００１３】
＜第１実施例＞
第１実施例では、人感センサに反応がない間は無線ＬＡＮクライアント装置が存在しないと仮定して、無線ＬＡＮアクセスポイント装置をスリープ状態に設定し、人感センサに反応があった場合にスリープ状態を解除する。
【００１４】
図１に、本発明の第１実施例に係る無線ＬＡＮアクセスポイント装置の構成図を示す。無線ＬＡＮアクセスポイント装置は、ＩＥＥＥ８０２．１１規格に従って無線ＬＡＮクライアント装置３００と通信する機器であり、無線ＬＡＮ親機とも呼ばれる。無線ＬＡＮクライアント装置３００は、パーソナルコンピュータ、スマートフォン、携帯電話等の無線ＬＡＮ通信機能を備えた機器であり、無線ＬＡＮ子機とも呼ばれる。
【００１５】
無線ＬＡＮアクセスポイント装置は、機器電力制御部９０と、人感センサ１００とを有する。また、無線ＬＡＮアクセスポイント装置は、通常の無線ＬＡＮアクセスポイント装置と同様に、送信部１５０と、受信部１６０と、アンテナ２００と、有線ＬＡＮ接続制御部４００とを有する。
【００１６】
送信部１５０は、アンテナ２００を介して無線ＬＡＮクライアント装置３００に信号を送信する。受信部１６０は、アンテナ２００を介して無線ＬＡＮクライアント装置３００から信号を受信する。
【００１７】
有線ＬＡＮ接続制御部４００は、インターネット等に接続された有線ＬＡＮ機器に接続するための認証や接続制御を行う。なお、有線ＬＡＮ接続制御部４００の代わりに、無線広域網に接続するための無線接続制御部が備えられてもよい。無線接続制御部が備えられる例として、Ｗｉ−Ｆｉルータとして知られる無線ＬＡＮアクセスポイント装置がある。
【００１８】
人感センサ１００は、無線ＬＡＮアクセスポイント装置から所定の空間内に人が存在することを検知するセンサである。人感センサ１００は、赤外線センサ、温度センサ、超音波センサ等でもよい。人感センサ１００により、無線ＬＡＮアクセスポイント装置と同一の空間（部屋等）内において、人の存在を検出した状態と、人の存在を検出しない状態とを判断することが可能になる。
【００１９】
機器電力制御部９０は、人感センサ１００に反応がない間は、無線ＬＡＮアクセスポイント装置をスリープ状態に設定する。また、機器電力制御部９０は、人感センサ１００に反応がある間は、スリープ状態を解除する。スリープ状態とは、機器電力制御部９０及び人感センサ１００を除き、無線ＬＡＮアクセスポイント装置が即時回復可能なところまで消費電力を落とした状態である。特に、スリープ状態とは、送信部１５０の送信出力を０とした状態である。
【００２０】
次に、第１実施例に係る無線ＬＡＮアクセスポイント装置における処理フローについて説明する。
【００２１】
図２に、本発明の第１実施例に係る無線ＬＡＮアクセスポイント装置における処理フロー（人感センサ検出状態→非検出状態時）を示す。
【００２２】
ステップＳ１００において、人感センサ１００は、人の存在を検出した状態（人検出状態）から人の存在を検出しない状態（非検出状態）へ遷移したことを認識する。
【００２３】
この場合、ステップＳ１１０において、機器電力制御部９０は、機器電力制御部９０及び人感センサ１００以外の無線ＬＡＮアクセスポイント装置の電力を落とし、スリープ状態に設定する。例えば、機器電力制御部９０は、送信部１５０、受信部１６０及び有線ＬＡＮ接続制御部４００の電力を落とす。なお、有線ＬＡＮへの接続に時間を要する場合、有線ＬＡＮ接続制御部４００の電力は落とさなくてもよい。
【００２４】
このようにして、人が部屋にいない間の消費電力を下げることが可能になり、部屋外に漏れ出る電波をなくすことによる傍受や乗っ取りのリスクを低減することができる。
【００２５】
図３に、本発明の第１実施例に係る無線ＬＡＮアクセスポイント装置における処理フロー（人感センサ非検出状態→検出状態時）を示す。
【００２６】
ステップＳ１２０において、人感センサ１００は、人の存在を検出ない状態（人非検出状態）から人の存在を検出した状態（検出状態）へ遷移したことを認識する。
【００２７】
この場合、ステップＳ１３０において、機器電力制御部９０は、無線ＬＡＮアクセスポイント装置のスリープ状態を解除する。
【００２８】
このようにして、人が部屋にいる間に無線ＬＡＮアクセスポイント装置を経由した通信が可能になる。
【００２９】
＜第２実施例＞
第２実施例では、人感センサに反応がない間は第１実施例と同様に無線ＬＡＮアクセスポイント装置をスリープ状態に設定する。人感センサに反応が出た場合、無線ＬＡＮアクセスポイント装置の送信出力を最小値から徐々に大きくする。
【００３０】
図４に、本発明の第２実施例に係る無線ＬＡＮアクセスポイント装置の構成図を示す。第２実施例に係る無線ＬＡＮアクセスポイント装置は、図１に示す無線ＬＡＮアクセスポイント装置の各機能部に加えて、送信出力制御部１１０と、受信信号強度測定部１２０とを更に有する。
【００３１】
送信出力制御部１１０は、送信部１５０の送信出力を制御する。より具体的には、人感センサ１００に反応がない状態から人感センサ１００に反応がある状態になった場合、送信出力制御部１１０は、無線ＬＡＮクライアント装置３００からの受信信号の信号強度が所定の閾値になるまで、送信部１５０の送信出力を最小値から徐々に大きくする。
【００３２】
受信信号強度測定部１２０は、無線ＬＡＮクライアント装置３００からの受信信号の信号強度を測定する。無線ＬＡＮクライアント装置３００との通信が確立できる信号強度になったところで、受信信号強度測定部１２０は、送信出力制御部１１０に対して、送信出力を固定させる。
【００３３】
次に、第２実施例に係る無線ＬＡＮアクセスポイント装置における処理フローについて説明する。
【００３４】
人感センサ検出状態→非検出状態時の処理フローは、図２と同じである。
【００３５】
また、人感センサ非検出状態→検出状態時の処理フローも、図３と同様に行われ、無線ＬＡＮアクセスポイント装置のスリープ状態が解除される。更に、第２実施例では、図５に示す処理が行われる。
【００３６】
ステップＳ１２０において、人感センサ１００が人非検出状態から検出状態へ遷移したことを認識すると、ステップＳ１３０において、機器電力制御部９０がスリープ状態を解除すると共に、ステップＳ２１０において、送信出力制御部１１０は、送信部１５０の送信出力を最小値に設定する。この最小値は０でもよく、他の予め設定された値でもよい。
【００３７】
ステップＳ２２０において、送信部１５０が無線ＬＡＮクライアント装置３００との接続を試みるための信号を送信する。
【００３８】
ステップＳ２３０において、受信部１６０は、無線ＬＡＮクライアント装置３００から送信された信号の受信を予め設定された一定時間試みる。
【００３９】
ステップＳ２４０において、受信信号強度測定部１２０は、無線ＬＡＮクライアント装置３００からの受信信号の信号強度を測定する。
【００４０】
ステップＳ２５０において、受信信号強度測定部１２０は、無線ＬＡＮクライアント装置３００からの受信信号の信号強度が通信可能な強度であるかを判断する。例えば、受信信号強度測定部１２０は、測定された信号強度が所定の閾値になったかを判断する。
【００４１】
ステップＳ２５０において、無線ＬＡＮクライアント装置３００からの受信信号の信号強度が通信可能な強度になった場合、ステップＳ２６０において、受信信号強度測定部１２０は、送信出力制御部１１０に対して送信出力の変更を指示せず、送信出力を固定させる。すなわち、現在の送信出力で通信が維持される。
【００４２】
ステップＳ２５０において、無線ＬＡＮクライアント装置３００からの受信信号の信号強度が通信可能な強度になっていない場合、ステップＳ２７０において、送信出力制御部１１０は、送信部１５０の送信出力を予め設定された量だけ増やす。
【００４３】
ステップＳ２８０において、送信出力制御部１１０は、予め設定された量だけ増やした送信出力が最大出力を超えるか否かを判断する。
【００４４】
予め設定された量だけ増やした送信出力が最大出力を超える場合、ステップＳ２９０において、送信出力制御部１１０は、無線クライアント装置３００との通信は不可能であると判断し、送信部１５０の送信出力を最小値に設定する。
【００４５】
予め設定された量だけ増やした送信出力が最大出力を超えない場合、ステップＳ２２０に戻り、接続の試み、受信信号の信号強度の測定を繰り返し、通信可能な強度になった場合の送信出力で通信が維持される。
【００４６】
このようにして、無線ＬＡＮクライアント装置３００との通信が確立されたところで送信出力を固定するため、送信出力は、無線ＬＡＮクライアント３００を使用する部屋において通信可能な最小値となる。従って、第１実施例に加えて人が部屋にいる場合においても無線ＬＡＮアクセスポイント装置の消費電力を最低限にすることができ、部屋外に漏れ出る電波を最小限に抑えることができる。その結果、通信内容の傍受や無線ＬＡＮアクセスポイント装置の乗っ取りのリスクを低減することができる。
【００４７】
更に、新たな無線ＬＡＮクライアント装置が接続を試みる場合について説明する。
【００４８】
図６に、本発明の第２実施例に係る無線ＬＡＮアクセスポイント装置の構成図（無線ＬＡＮクライアント装置追加時）を示す。この場合の無線ＬＡＮアクセスポイント装置は、図４に示す無線ＬＡＮアクセスポイント装置と同様に構成される。図４との相違点は、無線ＬＡＮアクセスポイント装置と接続を試みる新たな無線ＬＡＮクライアント装置３１０が存在する点である。
【００４９】
この場合の送信出力制御部１１０は、ハードウェア（ＨＷ）又はソフトウェア（ＳＷ）スイッチを備えており、ＨＷ又はＳＷスイッチにより、予め設定された一定時間後に送信部１５０の送信出力を最小値に設定する。
【００５０】
次に、新たな無線ＬＡＮクライアント装置３１０が存在する場合の無線ＬＡＮアクセスポイント装置における処理フローについて説明する。
【００５１】
人感センサ検出状態→非検出状態時の処理フローは、図２と同じである。
【００５２】
また、人感センサ非検出状態→検出状態時の処理フローも、図３と同様に行われ、無線ＬＡＮアクセスポイント装置のスリープ状態が解除される。更に、新たな無線ＬＡＮクライアント装置３１０が存在する場合、図７に示す処理が行われる。
【００５３】
ステップＳ２０２において、送信出力制御部１１０は、ＨＷスイッチの押下又はＳＷスイッチの起動により、強制的に送信出力を初期化するための以下の処理を行う。例えば、新たな無線ＬＡＮクライアント装置３１０を所持する人がＨＷスイッチを押下することにより又はＳＷスイッチを起動させることにより、既存の無線ＬＡＮクライアント装置３００及び新たな無線ＬＡＮクライアント装置３１０との双方と通信する必要があることを、無線ＬＡＮアクセスポイント装置に認識させる。
【００５４】
ステップＳ２０４において、送信出力制御部１１０は、予め設定された一定時間だけ待つ。例えば、この一定時間は、新たな無線ＬＡＮクライアント装置３１０を所持する人がＨＷスイッチを押下した後又はＳＷスイッチを起動させた後に、新たな無線ＬＡＮクライアント装置３１０を実際に使用する場所まで移動する時間を考慮して設定される。
【００５５】
ステップＳ２１０〜Ｓ２９０は、図５と同様である。ただし、ステップＳ２３０において、受信部１６０は、無線ＬＡＮクライアント装置３００から送信された信号に加えて、新たな無線ＬＡＮクライアント装置３１０から送信された信号の受信を予め設定された一定時間試みる。また、ステップＳ２４０において、受信信号強度測定部１２０は、無線ＬＡＮクライアント装置３００及び新たな無線ＬＡＮクライアント装置３１０からの受信信号の信号強度を測定する。更に、ステップＳ２５０において、受信信号強度測定部１２０は、無線ＬＡＮクライアント装置３００及び新たな無線ＬＡＮクライアント装置３１０からの受信信号の信号強度が通信可能な強度であるかを判断する。
【００５６】
このようにして、無線ＬＡＮクライアント装置３００及び新たな無線ＬＡＮクライアント装置３１０との通信が確立されたところで送信出力を固定するため、送信出力は、無線ＬＡＮクライアント３００及び新たな無線ＬＡＮクライアント装置３１０を使用する部屋において通信可能な最小値となる。
【００５７】
＜第３実施例＞
第３実施例では、人感センサに反応がない間は第１実施例と同様に無線ＬＡＮアクセスポイント装置をスリープ状態に設定する。人感センサに反応が出た場合、無線ＬＡＮアクセスポイント装置の送信出力を前回の送信出力値から徐々に大きくする。
【００５８】
図８に、本発明の第３実施例に係る無線ＬＡＮアクセスポイント装置の構成図を示す。第３実施例に係る無線ＬＡＮアクセスポイント装置は、図４に示す無線ＬＡＮアクセスポイント装置の各機能部に加えて、最小送信出力値記憶部１１５を更に有する。
【００５９】
最小送信出力値記憶部１１５は、初期の送信出力値（最小送信出力値）を記憶する。初期の送信出力値は、前回の送信出力値である。すなわち、初期の送信出力値は、人感センサに反応がなくなり、無線ＬＡＮアクセスポイント装置がスリープ状態になる前に設定されていた送信出力値である。
【００６０】
この場合の送信出力制御部１１０は、人感センサ１００に反応がない状態から人感センサ１００に反応がある状態になった場合、送信部１５０の送信出力を最小送信出力値記憶部１１５に記憶された初期の送信出力値（最小送信出力値）から徐々に大きくする。
【００６１】
次に、第３実施例に係る無線ＬＡＮアクセスポイント装置における処理フローについて説明する。
【００６２】
人感センサ検出状態→非検出状態時の処理フローは、図２と同じである。
【００６３】
また、人感センサ非検出状態→検出状態時の処理フローも、図３と同様に行われ、無線ＬＡＮアクセスポイント装置のスリープ状態が解除される。更に、第３実施例では、図９Ａ及び図９Ｂに示す処理が行われる。
【００６４】
ステップＳ１２０において、人感センサ１００が人非検出状態から検出状態へ遷移したことを認識すると、ステップＳ１３０において、機器電力制御部９０がスリープ状態を解除すると共に、ステップＳ３０５において、送信出力制御部１１０は、最小送信出力値記憶部１１５から初期の送信出力値（最小送信出力値）を読み出す。そして、ステップＳ３１０において、送信出力制御部１１０は、送信部１５０の送信出力を、読み出した送信出力値に設定する。
【００６５】
ステップＳ３２０〜Ｓ３８０は、図５のステップＳ２１０〜Ｓ２８０と同様に行われる。
【００６６】
ただし、ステップＳ３５０の後に、ステップＳ３５５において、受信信号強度測定部１２０は、無線ＬＡＮクライアント装置３００からの受信信号の信号強度が通信可能な強度になったときの送信出力を、初期の送信出力値（最小送信出力値）として最小送信出力値記憶部１１５に記憶する。
【００６７】
また、ステップＳ３８０において、予め設定された量だけ増やした送信出力が最大出力を超える場合、ステップＳ３８５において、送信出力制御部１１０は、送信部１５０の初期の送信出力値を最小送信出力値記憶部１１５から読み出す。そして、ステップＳ３９０において、送信出力制御部１１０は、送信部１５０の送信出力を制御し、ステップＳ３９５において、送信部１５０は、送信出力を初期の送信出力値に設定する。このステップＳ３８５〜Ｓ３９５は、ステップＳ３７０で増やした送信出力を、初期の送信出力値に戻す処理に対応する。
【００６８】
このようにして、人感センサに反応が出た場合における無線ＬＡＮアクセスポイント装置の初期送信出力を前回までの通信可能実績値とすることが可能になり、その値から無線ＬＡＮアクセスポイント装置の出力を徐々に大きくすることが出来るため、無線ＬＡＮアクセスポイント装置の出力調整時間が短縮可能になる。
【００６９】
更に、新たな無線ＬＡＮクライアント装置が接続を試みる場合について説明する。
【００７０】
図１０に、本発明の第３実施例に係る無線ＬＡＮアクセスポイント装置の構成図（無線ＬＡＮクライアント装置追加時）を示す。この場合の無線ＬＡＮアクセスポイント装置は、図８に示す無線ＬＡＮアクセスポイント装置と同様に構成される。図８との相違点は、無線ＬＡＮアクセスポイント装置と接続を試みる新たな無線ＬＡＮクライアント装置３１０が存在する点である。
【００７１】
この場合の送信出力制御部１１０は、ハードウェア（ＨＷ）又はソフトウェア（ＳＷ）スイッチを備えており、ＨＷ又はＳＷスイッチにより、予め設定された一定時間後に送信部１５０の送信出力を最小値に設定する。
【００７２】
次に、新たな無線ＬＡＮクライアント装置３１０が存在する場合の無線ＬＡＮアクセスポイント装置における処理フローについて説明する。
【００７３】
人感センサ検出状態→非検出状態時の処理フローは、図２と同じである。
【００７４】
また、人感センサ非検出状態→検出状態時の処理フローも、図３と同様に行われ、無線ＬＡＮアクセスポイント装置のスリープ状態が解除される。更に、新たな無線ＬＡＮクライアント装置３１０が存在する場合、図１１Ａ及び図１１Ｂに示す処理が行われる。
【００７５】
ステップＳ３０２において、送信出力制御部１１０は、ＨＷスイッチの押下又はＳＷスイッチの起動により、強制的に送信出力を初期化するための以下の処理を行う。
【００７６】
ステップＳ３０４において、送信出力制御部１１０は、予め設定された一定時間だけ待つ。
【００７７】
ステップＳ３０５〜Ｓ３９５は、図９Ａ及び図９Ｂと同様である。ただし、ステップＳ３３０において、受信部１６０は、無線ＬＡＮクライアント装置３００から送信された信号に加えて、新たな無線ＬＡＮクライアント装置３１０から送信された信号の受信を予め設定された一定時間試みる。また、ステップＳ３４０において、受信信号強度測定部１２０は、無線ＬＡＮクライアント装置３００及び新たな無線ＬＡＮクライアント装置３１０からの受信信号の信号強度を測定する。更に、ステップＳ３５０において、受信信号強度測定部１２０は、無線ＬＡＮクライアント装置３００及び新たな無線ＬＡＮクライアント装置３１０からの受信信号の信号強度が通信可能な強度であるかを判断する。
【００７８】
このようにして、無線ＬＡＮクライアント装置３００及び新たな無線ＬＡＮクライアント装置３１０との通信が確立されたところで送信出力を固定するため、送信出力は、無線ＬＡＮクライアント３００及び新たな無線ＬＡＮクライアント装置３１０を使用する部屋において通信可能な最小値となる。
【００７９】
＜本発明の実施例の効果＞
本発明の実施例によれば、省電力及び高セキュリティを実現する無線ＬＡＮアクセスポイント装置を提供することが可能になる。
【００８０】
特に、第１実施例によれば、人が部屋にいない場合における無線ＬＡＮアクセスポイント装置の無駄な消費電力を削減することが可能になり、部屋外に漏れ出る電波を無くすことによる通信内容の傍受のリスクや無線ＬＡＮアクセスポイント装置の乗っ取りのリスクを低減できる。
【００８１】
特に、第２実施例によれば、第１実施例に加えて更に人が部屋にいる場合においても、無線ＬＡＮアクセスポイント装置を最小限の電力で駆動することが可能になり、部屋外に漏れ出る電波を最小限に抑えることで通信内容の傍受のリスクや無線ＬＡＮアクセスポイント装置の乗っ取りのリスクを最小限にすることが可能になる。
【００８２】
特に、第３実施例によれば、第１実施例及び第２実施例に加えて、無線ＬＡＮアクセスポイント装置の出力調整時間を短縮することが可能になる。
【００８３】
このように、無線ＬＡＮアクセスポイント装置と無線ＬＡＮクライアント装置とを同一の部屋で使う場合において、無線ＬＡＮクライアント装置に機能追加・変更を行うことなく、無線ＬＡＮアクセスポイント装置の消費電力を低減することが可能になり、部屋外への漏れ電波による傍受のリスクや無線ＬＡＮアクセスポイント装置の乗っ取りのリスクを最小化することが可能となる。
【００８４】
なお、上記の実施例では、無線ＬＡＮを介して通信する無線ＬＡＮアクセスポイント装置及び無線ＬＡＮクライアント装置について説明したが、本発明は無線ＬＡＮに限定されることなく、アクセスポイント装置とクライアント装置とが無線で接続される他のネットワークにも適用可能である。更に、上記の実施例では、受信信号強度測定部において信号強度が測定されるが、信号対雑音比のような信号品質が測定されてもよい。
【００８５】
説明の便宜上、本発明の実施例に係る装置は機能的なブロック図を用いて説明しているが、本発明の実施例に係る装置は、ハードウェア、ソフトウェア又はそれらの組み合わせで実現されてもよい。また、各機能部が必要に応じて組み合わせて使用されてもよい。また、本発明の実施例に係る方法は処理の流れを示すフローチャートを用いて説明しているが、本発明の実施例に係る方法は、実施例に示す順序と異なる順序で実施されてもよい。
【００８６】
以上、省電力及び高セキュリティを実現する無線ＬＡＮアクセスポイント装置について説明したが、本発明は、上記の実施例に限定されることなく、特許請求の範囲内において、種々の変更・応用が可能である。
【符号の説明】
【００８７】
９０    機器電力制御部
１００  人感センサ
１１０  送信出力制御部
１１５  最小送信出力値記憶部
１２０  受信信号強度測定部
１５０  送信部
１６０  受信部
２００  アンテナ
３００  無線ＬＡＮクライアント装置
３１０  無線ＬＡＮクライアント装置
４００  有線ＬＡＮ接続制御部
【図１】
2014176031.tif 000003
【図２】
2014176031.tif 000004
【図３】
2014176031.tif 000005
【図４】
2014176031.tif 000006
【図５】
2014176031.tif 000007
【図６】
2014176031.tif 000008
【図７】
2014176031.tif 000009
【図８】
2014176031.tif 000010
【図９Ａ】
2014176031.tif 000011
【図９Ｂ】
2014176031.tif 000012
【図１０】
2014176031.tif 000013
【図１１Ａ】
2014176031.tif 000014
【図１１Ｂ】
2014176031.tif 000015